(57)【要約】【課題】手差しトレイに乗り切らない長尺用紙を、予めロール状に巻かれていない場合に比べて、長尺用紙の後端側の影響による搬送不良の発生を抑制することができる記録媒体を提供する。【解決手段】画像形成装置本体の側面に設けられ記録媒体を給紙する手差しトレイ上に載置される収容箱に収容された記録媒体であって、収容箱は、一枚ずつロール状に巻かれて収容箱に収容された記録媒体が引き出されながら通過できる通過口を有し、通過口は、収容箱の手差しトレイと接触する底面よりも高い位置に形成されている。【選択図】図６
2019056733.tif 000002
【特許請求の範囲】
【請求項１】
画像形成装置本体の側面に設けられ記録媒体を給紙する手差しトレイ上に載置される収容箱に収容された記録媒体であって、
前記収容箱は、一枚ずつロール状に巻かれて前記収容箱に収容された前記記録媒体が引き出されながら通過できる通過口を有する、
ことを特徴とする記録媒体。
【請求項２】
前記通過口は、前記収容箱の前記手差しトレイと接触する底面よりも高い位置に形成されている、
ことを特徴とする請求項１に記載の記録媒体。
【請求項３】
前記通過口は、前記記録媒体が前記画像形成装置本体に給紙される給紙位置までの搬送経路が前記手差しトレイの上方で斜め下方に傾斜するように配置されている、
ことを特徴とする請求項２に記載の記録媒体。
【請求項４】
前記通過口は、使用時に前記収容箱を形成する壁面部の一部を一端を基端として外側に折り曲げて形成される、
ことを特徴とする請求項１ないし３のいずれか１項に記載の記録媒体。
【請求項５】
前記記録媒体は、定形用紙よりも長い長尺用紙であり、芯がない形態で一枚ずつロール状に巻かれて前記収容箱に収容されている、
ことを特徴とする請求項１ないし４のいずれか１項に記載の記録媒体。
【請求項６】
前記記録媒体は、前記収容箱の前記通過口から引き出される際に、前記通過口が形成された壁面部の内面とは離れた位置から巻き解かれるようにロール状に巻かれて前記収容箱に収容されている、
ことを特徴とする請求項５に記載の記録媒体。
【請求項７】
前記収容箱は、前記記録媒体の幅方向における断面視で多角形である、
ことを特徴とする請求項１ないし６のいずれか１項に記載の記録媒体。
【請求項８】
前記多角形は、四角形である、
ことを特徴とする請求項７に記載の記録媒体。
【請求項９】
前記多角形は、六角形である、  
ことを特徴とする請求項７に記載の記録媒体。
【請求項１０】
前記収容箱は、前記手差しトレイに前記記録媒体のサイズに応じて移動可能に立設された一対のサイドガイド壁で固定される、  
ことを特徴とする請求項１ないし９のいずれか１項に記載の記録媒体。
【請求項１１】
前記収容箱は、前記記録媒体の幅方向における両端部に凹みを有し、前記凹みが前記サイドガイド壁で固定される、  
ことを特徴とする請求項１０に記載の記録媒体。
【請求項１２】
前記収容箱は、前記サイドガイド壁に嵌り込むことで固定される、  
ことを特徴とする請求項１０又は１１に記載の記録媒体。
【請求項１３】
前記収容箱は、前記サイドガイド壁に前記記録媒体の搬送方向における上流側から接触して固定される、  
ことを特徴とする請求項１０に記載の記録媒体。
【請求項１４】
前記記録媒体は、布である、  
ことを特徴とする請求項１ないし１３のいずれか１項に記載の記録媒体。
【請求項１５】
前記記録媒体は、布は不織布である、
ことを特徴とする請求項１４に記載の記録媒体。
【請求項１６】
前記記録媒体は、ロール状に巻かれ前記収容箱に仕切り壁で区画されて複数収容されている、
ことを特徴とする請求項１ないし１５のいずれか１項に記載の記録媒体。
【請求項１７】
前記記録媒体は、定形用紙よりも長い複数枚の長尺用紙が連続するようにロール状に巻かれている、
ことを特徴とする請求項１６に記載の記録媒体。
【請求項１８】
前記収容箱は、ロール状に巻かれたそれぞれの記録媒体ごとに前記記録媒体が引き出されながら通過できる通過口を有する、
ことを特徴とする請求項１６又は１７に記載の記録媒体。
【請求項１９】
前記記録媒体は、前記収容箱が一方向に回転された場合、現在引き出されていた記録媒体の次の記録媒体が引き出される前記通過口が引き出し位置に位置する、
ことを特徴とする請求項１６ないし１８のいずれか１項に記載の記録媒体。
【請求項２０】
前記仕切り壁は前記収容箱の内部で互いに交差して配置され、前記記録媒体は前記通過口よりも低い位置で交差する前記仕切り壁に２点で接触して支持される、
ことを特徴とする請求項１６ないし１９のいずれか１項に記載の記録媒体。
【請求項２１】
前記仕切り壁の前記記録媒体と接触する表面は前記収容箱の前記壁面部の内面よりも摩擦係数が低くなるように形成されている、
ことを特徴とする請求項２０に記載の記録媒体。
【請求項２２】
前記仕切り壁は、前記記録媒体と接触する表面に前記記録媒体の幅方向に沿って切り起こしが形成されている、
ことを特徴とする請求項２０に記載の記録媒体。
【請求項２３】
前記仕切り壁は、前記記録媒体と接触する表面に前記記録媒体の幅方向と交差する方向に延在するフルートが形成されている、
ことを特徴とする請求項２０に記載の記録媒体。
【発明の詳細な説明】
【技術分野】
【０００１】
本発明は、記録媒体に関する。
【背景技術】
【０００２】
矩形状の用紙本体と、用紙本体の一端部から他端部に向う途中までに設けられ、用紙本体を二つ折りするための折れ部と、用紙本体が折れ部で折り返されて二つ折りされた状態で、折れ部の一端部を挟む、用紙本体の一方辺と他方辺とが解き離し可能に固定された固定部と、折れ部の他端部から折れ部の延長線上で、用紙本体の他端部まで形成され、延長線を境に用紙本体の一方側と他方側とを分離する分離部と、を備え、用いられる画像形成装置で許容される最大の記録用紙より、大きな記録用紙に、シワが生じるのを抑制した上で画像を形成することができる記録用紙が知られている（特許文献１）。
【０００３】
ロール状に巻かれた状態の記録媒体を巻き解きながら該記録媒体の搬送経路に沿って下流側へ搬送する搬送手段と、搬送手段によって巻き解かれた記録媒体の巻き癖による該記録媒体の先端部のカール量を取得するカール量取得手段と、搬送経路の途中位置にある記録領域にて記録媒体に記録処理を施す記録手段と、カール量取得手段によって取得したカール量に基づいて、記録媒体が記録手段によって記録処理が施される際における記録媒体の先端部の記録領域からの下流側への突出量が変化するように、搬送手段を制御する制御手段と、を備えた記録装置も知られている（特許文献２）。
【先行技術文献】
【特許文献】
【０００４】
【特許文献１】特開２０１３−１２９５３５号公報
【特許文献２】特開２０１３−１０６１号公報
【発明の概要】
【発明が解決しようとする課題】
【０００５】
本発明は、手差しトレイに乗り切らない長尺用紙を、予めロール状に巻かれていない場合に比べて、長尺用紙の後端側の影響による搬送不良の発生を抑制することができる記録媒体を提供する。
【課題を解決するための手段】
【０００６】
前記課題を解決するために、請求項１に記載の記録媒体は、
画像形成装置本体の側面に設けられ記録媒体を給紙する手差しトレイ上に載置される収容箱に収容された記録媒体であって、
前記収容箱は、一枚ずつロール状に巻かれて前記収容箱に収容された前記記録媒体が引き出されながら通過できる通過口を有する、
ことを特徴とする。
【０００７】
請求項２記載の発明は、請求項１に記載の記録媒体において、
前記通過口は、前記収容箱の前記手差しトレイと接触する底面よりも高い位置に形成されている、
ことを特徴とする。
【０００８】
請求項３記載の発明は、請求項２に記載の記録媒体において、
前記通過口は、前記記録媒体が前記画像形成装置本体に給紙される給紙位置までの搬送経路が前記手差しトレイの上方で斜め下方に傾斜するように配置されている、
ことを特徴とする。
【０００９】
請求項４記載の発明は、請求項１ないし３のいずれか１項に記載の記録媒体において、
前記通過口は、使用時に前記収容箱を形成する壁面部の一部を一端を基端として外側に折り曲げて形成される、
ことを特徴とする。
【００１０】
請求項５記載の発明は、請求項１ないし４のいずれか１項に記載の記録媒体において、
前記記録媒体は、定形用紙よりも長い長尺用紙であり、芯がない形態で一枚ずつロール状に巻かれて前記収容箱に収容されている、
ことを特徴とする。
【００１１】
請求項６記載の発明は、請求項５に記載の記録媒体において、
前記記録媒体は、前記収容箱の前記通過口から引き出される際に、前記通過口が形成された壁面部の内面とは離れた位置から巻き解かれるようにロール状に巻かれて前記収容箱に収容されている、
ことを特徴とする。
【００１２】
請求項７記載の発明は、請求項１ないし６のいずれか１項に記載の記録媒体において、
前記収容箱は、前記記録媒体の幅方向における断面視で多角形である、
ことを特徴とする。
【００１３】
請求項８記載の発明は、請求項７に記載の記録媒体において、
前記多角形は、四角形である、
ことを特徴とする。
【００１４】
請求項９記載の発明は、請求項７に記載の記録媒体において、
前記多角形は、六角形である、  
ことを特徴とする。
【００１５】
請求項１０記載の発明は、請求項１ないし９のいずれか１項に記載の記録媒体において、
前記収容箱は、前記手差しトレイに前記記録媒体のサイズに応じて移動可能に立設された一対のサイドガイド壁の間に嵌まり込んで固定される、  
ことを特徴とする。
【００１６】
請求項１１記載の発明は、請求項１０に記載の記録媒体において、
前記収容箱は、前記記録媒体の幅方向における両端部に凹みを有し、前記凹みが前記サイドガイド壁で固定される、  
ことを特徴とする。
【００１７】
請求項１２記載の発明は、請求項１０又は１１に記載の記録媒体において、
前記収容箱は、前記サイドガイド壁で固定される、  
ことを特徴とする。
【００１８】
請求項１３記載の発明は、請求項１０に記載の記録媒体において、
前記収容箱は、前記サイドガイド壁に前記記録媒体の搬送方向における上流側から接触して固定される、  
ことを特徴とする。
【００１９】
請求項１４記載の発明は、請求項１ないし１３のいずれか１項に記載の記録媒体において、
前記記録媒体は、布である、  
ことを特徴とする。
【００２０】
請求項１５記載の発明は、請求項１４に記載の記録媒体において、
前記記録媒体は、布は不織布である、
ことを特徴とする。
【００２１】
請求項１６記載の発明は、請求項１ないし１５のいずれか１項に記載の記録媒体において、
前記記録媒体は、ロール状に巻かれ前記収容箱に仕切り壁で区画されて複数収容されている、
ことを特徴とする。
【００２２】
請求項１７記載の発明は、請求項１６に記載の記録媒体において、
前記記録媒体は、定形用紙よりも長い複数枚の長尺用紙が連続するようにロール状に巻かれている、
ことを特徴とする。
【００２３】
請求項１８記載の発明は、請求項１６又は１７に記載の記録媒体において、
前記収容箱は、ロール状に巻かれたそれぞれの記録媒体ごとに前記記録媒体が引き出されながら通過できる通過口を有する、
ことを特徴とする。
【００２４】
請求項１９記載の発明は、請求項１６ないし１８のいずれか１項に記載の記録媒体において、
前記記録媒体は、前記収容箱が一方向に回転された場合、現在引き出されていた記録媒体の次の記録媒体が引き出される前記通過口が引き出し位置に位置する、
ことを特徴とする。
【００２５】
請求項２０記載の発明は、請求項１６ないし１９のいずれか１項に記載の記録媒体において、
前記仕切り壁は前記収容箱の内部で互いに交差して配置され、前記記録媒体は前記通過口よりも低い位置で交差する前記仕切り壁に２点で接触して支持される、
ことを特徴とする。
【００２６】
請求項２１記載の発明は、請求項２０に記載の記録媒体において、
前記仕切り壁の前記記録媒体と接触する表面は前記収容箱の前記壁面部の内面よりも摩擦係数が低くなるように形成されている、
ことを特徴とする。
【００２７】
請求項２２記載の発明は、請求項２０に記載の記録媒体において、
前記仕切り壁は、前記記録媒体と接触する表面に前記記録媒体の幅方向に沿って切り起こしが形成されている、
ことを特徴とする。
【００２８】
請求項２３記載の発明は、請求項２０に記載の記録媒体において、
前記仕切り壁は、前記記録媒体と接触する表面に前記記録媒体の幅方向と交差する方向に延在するフルートが形成されている、
ことを特徴とする。
【発明の効果】
【００２９】
請求項１に記載の発明によれば、手差しトレイに乗り切らない長尺用紙を、予めロール状に巻かれていない場合に比べて、長尺用紙の後端側の影響による搬送不良の発生を抑制することができる。
【００３０】
請求項２に記載の発明によれば、収容箱の中での記録媒体のたわみの発生を抑制することができる。
【００３１】
請求項３に記載の発明によれば、記録媒体の後端の搬送方向下流側の記録媒体上への落下を抑制することができる。
【００３２】
請求項４に記載の発明によれば、収容箱から引き出された記録媒体の収容箱の壁面部への接触を抑制することができる。
【００３３】
請求項５、６に記載の発明によれば、記録媒体の引き出し抵抗を軽減することができる。
【００３４】
請求項７、８、９に記載の発明によれば、収容箱を安定して載置することができる。
【００３５】
請求項１０、１１、１２に記載の発明によれば、手差しトレイ上で収容箱の幅方向を位置決めしてセットすることができる。
【００３６】
請求項１３に記載の発明によれば、手差しトレイ上で収容箱を記録媒体の引き込み方向を位置決めしてセットすることができる。
【００３７】
請求項１４、１５に記載の発明によれば、紙に比べて、記録媒体の強度を高くすることができる。
【００３８】
請求項１６、１７に記載の発明によれば、省スペースで複数の記録媒体を収容することができる。
【００３９】
請求項１８、１９に記載の発明によれば、複数の記録媒体を一定の搬送経路で引き出すことができる。
【００４０】
請求項２０、２１、２２、２３に記載の発明によれば、記録媒体の引き出し抵抗を軽減することができる。
【図面の簡単な説明】
【００４１】
【図１】画像形成装置の内部構成を示す断面模式図である。
【図２】（ａ）は伸展された用紙を示す図、（ｂ）はロール状に巻かれた状態の用紙を示す断面模式図である。
【図３】（ａ）は記録媒体の通過口を示す収容箱の正面図、（ｂ）は（ａ）におけるＡ−Ａ線断面を示す断面模式図である。
【図４】手差し給送装置の手差しトレイの構成を示す斜視図である。
【図５】記録媒体の手差しトレイへのセットを説明する説明図である。
【図６】記録媒体が手差しトレイに載置された状態を示す断面模式図である。
【図７】変形例１に係る記録媒体を示す断面模式図である。
【図８】手差しトレイにセットされた変形例１に係る記録媒体を示す断面模式図である。
【図９】手差しトレイにセットされた変形例２に係る記録媒体を示す断面模式図である。
【図１０】八角形の収容箱を有する記録媒体の例を示す断面模式図である。
【発明を実施するための形態】
【００４２】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００４３】
（１）画像形成装置の全体構成及び動作
図１は本実施形態に係る記録媒体を用いて画像形成する画像形成装置１の内部構成を示す断面模式図、図２は手差し給紙装置２５の手差しトレイ２６を示す斜視図である。
以下、図面を参照しながら、画像形成装置１の全体構成及び動作を説明する。
【００４４】
（１．１）画像形成装置の全体構成
画像形成装置１は、画像形成部１０と、画像形成部１０の底部に装着された給紙装置２０と、操作表示部３０と、画像処理部４０と、を備えて構成され、定形の用紙Ｐに比べて用紙長が長い長尺用紙を給送して画像を印刷する長尺印刷機能を有している。
【００４５】
画像形成部１０は、システム制御装置１１、露光装置１２、感光体ユニット１３、現像装置１４、転写装置１５、定着装置１６、を備えて構成され、画像処理部４０から受け取った画像情報を給紙装置２０から送り込まれた用紙Ｐ上にトナー像として形成する。
【００４６】
画像形成部１０の底部には、用紙トレイ２１、２２を有する給紙装置２０が設けられ、更に給紙装置２０の下方には、上下方向に多段（本実施形態においては２段）に配置され、用紙Ｐを収容する用紙トレイＴ１、Ｔ２からなるトレイモジュールＴＭが接続されて画像形成部１０に対する用紙供給を行う。
【００４７】
画像形成部１０の左側には、手差し給紙装置２５が設けられ、不定サイズの用紙、長尺用紙、厚紙等の用紙供給を行う。また、本実施形態に係る記録媒体は、手差し給紙装置２５から給送される。
【００４８】
操作表示部３０は、いわゆるユーザーインターフェースに相当するもので、液晶表示パネル、各種操作ボタン、タッチパネル等を組み合わせて構成され各種の設定や指示の入力及び情報表示に用いられる。
【００４９】
画像処理部４０は、外部機器（例えばパーソナルコンピュータ等）から送信された印刷情報から画像データを生成する。
【００５０】
（１．２）画像形成部１０の構成及び動作
このような構成の画像形成装置１では、画像形成のタイミングに合わせて給紙装置２０又は手差し給紙装置２５から、印刷ジョブで指定された用紙Ｐが画像形成部１０へ送り込まれる。
【００５１】
感光体ユニット１３は、給紙装置２０の上方に、それぞれが並列して設けられ、回転駆動する感光体ドラム３１を備えている。露光装置１２により静電潜像が形成されたそれぞれの感光体ドラム３１上には、それぞれの現像装置１４によってイエロー（Ｙ）、マゼンタ（Ｍ）、シアン（Ｃ）、黒（Ｋ）のトナー像が形成される。
【００５２】
各感光体ユニット１３の感光体ドラム３１に形成された各色トナー像は、転写装置１５の中間転写ベルト５１上に順次静電転写（一次転写）され、各色トナーが重畳された重畳トナー像が形成される。中間転写ベルト５１上の重畳トナー像は、レジストローラ対２４から送り出され、搬送ガイドにより案内された用紙Ｐに二次転写ローラ５２によって一括転写される。  
【００５３】
定着装置１６は一対の加熱モジュール６１と加圧モジュール６２の圧接領域によって定着ニップ部ＮＰ（定着領域）が形成される。
転写装置１５においてトナー像が一括転写された用紙Ｐは、トナー像が未定着の状態で搬送ガイド５３を介して定着装置１６の定着ニップ部ＮＰに搬送され、一対の加熱モジュール６１と加圧モジュール６２により、圧着と加熱の作用でトナー像が定着される。
定着トナー像が形成された用紙Ｐは、搬送ガイドによってガイドされ、排出ローラ対６３から画像形成装置１上面の排紙トレイ部ＴＲ１に排出・収容される。
【００５４】
（２）記録媒体の構成
図２（ａ）は伸展された記録媒体１００を示す図、（ｂ）はロール状に巻かれた状態の記録媒体１００を示す断面模式図、図３（ａ）は記録媒体１００の通過口を示す収容箱１１０の正面図、（ｂ）は（ａ）におけるＡ−Ａ線断面を示す断面模式図、図４は手差し給紙装置２５の手差しトレイ２６の構成を示す斜視図、図５は記録媒体１００の手差しトレイへのセットを説明する説明図、図６は記録媒体１００が手差しトレイ２６に載置された状態を示す断面模式図である。
以下、図面を参照しながら記録媒体１００の構成について説明する。
【００５５】
（２．１）記録媒体の全体構成
記録媒体１００は、画像形成装置１本体の側面に設けられた手差し給紙装置２５の手差しトレイ２６上に載置される収容箱１１０と、一枚ずつロール状に巻かれて収容箱１１０に収容された用紙Ｓから構成されている。
【００５６】
用紙Ｓは、図２（ａ）に示すように、定形用紙に比べて、給紙方向と交差する方向の幅に対して給紙方向の用紙長が大幅に長い長尺シートであり、図２（ｂ）に示すように一枚ずつ連続して芯がない状態でロール状に巻かれて、後述する収容箱１１０に収容されている。尚、用紙Ｓは、一枚ずつロール状に巻かれていてもよい。
【００５７】
用紙Ｓのサイズは、画像形成装置１で通紙可能なサイズであれば特に限定されないが、本実施形態においては、一例として幅がＳＲＡ３サイズ（用紙幅３２０ｍｍ）または最大用紙サイズであるＡ３フルノビサイズ（用紙幅３３０ｍｍ）で、用紙長は画像形成装置１において画像形成可能な用紙長であり、一例として１２００ｍｍの定尺シートとなっている。そのために、連続したロール紙に比べて、印刷後に使用者が裁断する必要がない。
【００５８】
用紙Ｓの材質は、特に限定されないが、例えば、のぼり旗として使用する場合には、基材層、熱可塑性樹脂製多孔質層及び受像層がこの順に積層されていることが好ましい。基材層は、主として天然紙、半合成紙或いは合成紙、ポリエステル系クロス等が用いられ、熱可塑性樹脂製多孔質層としては、不織布が挙げられる。不織布は、空孔が細かく、均一で孔径分布が狭く、また表面の平滑性にも優れている点で特に好ましい。不織布を構成する繊維は、短繊維、長繊維、合成繊維、半合成繊維、再生繊維或いは複合繊維等が用いられ、これらの繊維が混合したものであっても良い。コシのないポリエステル系クロス等は搬送を安定させるために、台紙貼着を施しても良い。
受容層に用いられる樹脂としては、ポリエステル樹脂、スチレン−アクリル酸エステル共重合体、塩化ビニル−酢酸ビニル共重合体、酢酸ビニル樹脂、ポリアマイド樹脂、ブチラール樹脂、エチレン−酢酸ビニル共重合体などの熱可塑性の樹脂が挙げられる。
【００５９】
収容箱１１０は、図３に示すように、所定の厚さを有する段ボール、紙、プラスチック等から成る矩形断面を有する長尺な箱体として形成されている。
収容箱１１０は、図３（ｂ）に示すように、内部にロール状に巻かれた用紙Ｓを芯がない状態で収容している。
【００６０】
収容箱１１０の壁面部１１０ａには、収容された用紙Ｓが引き出されながら通過する通過口１１１が設けられている。通過口１１１は、壁面部１１０ａに予めミシン目（不図示）が設けられて、ミシン目を切り離して折り曲げ部１１１ａを基端として外側に折り曲げることにより形成される。
また、外側に折り曲げられたフラップ１１２は壁面部１１０ａから収容箱１１０の外側に延びるように突出して、通過口１１１から引き出されて手差し給紙装置２５に搬送される用紙Ｓの案内ガイドとなり、収容箱１１０から引き出された用紙Ｓの壁面部１１０ａへの接触を抑制することができる。
【００６１】
（２．２）手差しトレイへのセットと給送
図４に示すように、手差し給紙装置２５は、画像形成装置１本体の側方に手差しトレイ２６が開閉可能に設けられている。手差しトレイ２６は給紙される用紙のサイズ（用紙幅）に応じて移動可能に立設された一対のサイドガイド２７を有している。
【００６２】
記録媒体１００（図４において破線で示す）は、手差しトレイ２６上に用紙搬送方向における下流側になる壁面部１１０ａがサイドガイド２７に接触して用紙Ｓの引き込み方向が固定されるように載置してセットされる（図６中  Ａ参照）。
【００６３】
記録媒体１００は、図５に示すように、収容箱１１０の底面部に凹部１１４を設けて、凹部１１４がサイドガイド２７の間に嵌まり込んで固定してもよい。これにより、記録媒体１００の搬送方向と交差する幅方向を位置決めして固定することができる。
【００６４】
このように手差しトレイ２６にセットされた記録媒体１００は、図６に示すように、通過口１１１から用紙Ｓが引き出されてサイドガイド２７で案内されながらナジャーロール２８で引き込まれる。
【００６５】
記録媒体１００が手差しトレイ２６上に載置された状態では、収容箱１１０の通過口１１１は、手差しトレイ２６の底面２６ａよりも高い位置に位置するようになっている。これにより、収容箱１１０の中での用紙Ｓのたわみの発生を抑制することができる。
また、図６に示すように、通過口１１１は、用紙Ｓがナジャーロール２８で引き込まれる給紙位置までの搬送経路が手差しトレイ２６の上方で斜め下方（ナジャーロール２８側：図６中  二点鎖線より右側）に傾斜するように配置されている。これにより、用紙Ｓの後端ＳＲ（図６中  破線参照）の搬送方向下流側の用紙Ｓ上への落下を抑制することができる。
【００６６】
また、用紙Ｓは、図６に示すように、収容箱１１０の通過口１１１から引き出される際に、通過口１１１が形成された壁面部１１０ａの内面１１０ｂとは離れた位置（図中  矢印Ａ参照）から巻き解かれるようにロール状に巻かれて収容箱１１０に収容されている。これにより、用紙Ｓは巻き解かれる方向（図６中  矢印Ｒ参照）に引き出され、引き出し抵抗を軽減することができる。
【００６７】
「変形例１」
図７は変形例１に係る記録媒体１００Ａを示す断面模式図、図８は手差しトレイ２６にセットされた変形例１に係る記録媒体１００Ａを示す断面模式図である。
記録媒体１００Ａは、図７に示すように、収容箱１１０Ａが、断面視で多角形、具体的には四角形に形成され、用紙Ｓは収容箱１１０Ａの内部で仕切り壁１２０で区画された収容部１１３ごとに複数収容されている。用紙Ｓは、複数の収容部１１３にロール状で収容されるように、一枚ずつ芯がない状態でロール状に巻かれている。
【００６８】
図７に示すように、仕切り壁１２０は、収容箱１１０Ａの内部で互いに交差して配置され、用紙Ｓはロール状に巻かれて通過口１１１Ａよりも低い位置で交差する仕切り壁１２０に２点（図７中  Ｐ１、Ｐ２参照）で接触して支持される。収容箱１１０Ａは、所定の厚さを有する段ボール、紙、プラスチック等から成る矩形断面を有する長尺な箱体として形成されている。
【００６９】
仕切り壁１２０の表面１２０ａは、収容箱１１０Ａの壁面部１１０Ａａの内面１１０Ａｂよりも摩擦係数が低くなるように形成されている。具体的には、仕切り壁１２０の表面１２０ａにポリエチレン樹脂をコートしたり、ポリエチレンシートを貼付することで摩擦係数を低くすることができる。
【００７０】
また、図７（ａ）、（ｂ）に示すように、仕切り壁１２０にロール状に巻かれた用紙Ｓと接触する表面１２０ａに切り起こし１２１を設けて用紙Ｓの外周面と接触する面積を減らして、仕切り壁１２０の表面１２０ａと用紙Ｓの外周面との間に作用する摩擦力を減少させてもよい。切り起し１２１は、用紙Ｓの幅方向に沿って仕切り壁１２０の一部を部分的に（交互に）切り起こして形成される。
【００７１】
また、図７（ｃ）に示すように、仕切り壁１２０を段ボールで形成して、表面１２０ａにフルート１２２を形成することで、用紙Ｓの外周面と接触する面積を減らして、仕切り壁１２０の表面１２０ａと用紙Ｓの外周面との間に作用する摩擦力を減少させてもよい。
【００７２】
このように、仕切り壁１２０の用紙Ｓの外周面と接触する表面１２０ａと用紙Ｓの外周面との間に作用する摩擦力を減少させて、用紙Ｓの引き出し抵抗を軽減することができる。
【００７３】
収容箱１１０Ａには、仕切り壁１２０で区画された収容部１１３ごとに、それぞれ通過口１１１Ａが設けられている。収容箱１１０Ａは、ひとつの収容部１１３に収容された用紙Ｓが引き出されて、次の用紙Ｓを給紙するために一方向に回転された場合、図８に示すように、次の収容部１１３から用紙Ｓを引き出すための通過口１１１Ａが引き出し位置に位置する。それぞれの通過口１１１Ａは、壁面部１１０Ａａに予めミシン目（不図示）が設けられて、ミシン目を切り離して折り曲げ部１１１Ａａを基端として外側に折り曲げることにより形成される。
【００７４】
このようにして、手差しトレイ２６にセットされた記録媒体１００Ａは、図８に示すように、通過口１１１Ａから用紙Ｓが引き出されてサイドガイド２７で案内されながらナジャーロール２８で引き込まれる。
【００７５】
変形例１による記録媒体１００Ａによれば、仕切り壁１２０で区画された複数の収容部１１３に、一枚ずつロール状に巻かれた用紙Ｓを収容して、それぞれの用紙Ｓの給紙に伴って、収容箱１１０Ａを手差しトレイ２６上で一方向に回転させる（図８中  矢印Ｒ参照）ことで、収容された用紙Ｓを給紙することができる。それぞれの収容部１１３にロール状で収容される用紙Ｓは、同一サイズの用紙Ｓであっても、異なるサイズの用紙Ｓであってもよい。
【００７６】
「変形例２」
図９は手差しトレイ２６にセットされた変形例２に係る記録媒体１００Ｂを示す断面模式図である。
記録媒体１００Ｂは、図９に示すように、収容箱１１０Ｂが、断面視で六角形に形成され、用紙Ｓは収容箱１１０Ｂの内部で仕切り壁１３０で区画された収容部１１５ごとに複数収容されている。用紙Ｓは、複数の収容部１１５にロール状で収容されるように、一枚ずつ芯がない状態でロール状に巻かれている。
【００７７】
収容箱１１０Ｂは、断面視で六角形に形成されているために、図９に示すように、手差しトレイ２６上にセットされた状態で通過口１１１Ｂが形成された壁面部１１０Ｂａが、用紙搬送方向下流側に突出するように傾斜した傾斜面になる。そのために、通過口１１１Ｂから引き出される用紙Ｓの後端ＳＲは傾斜面に沿って降下して（図中  破線と矢印で示す）、用紙Ｓの後端ＳＲの搬送方向下流側の用紙Ｓ上への落下を抑制することができる。また、通過口１１１Ｂには、外側に折り曲げられたフラップが設けられていないために、用紙Ｓの引き出し抵抗の増加が抑制されている。
【００７８】
本実施形態においては、多角形の収容箱１１０Ａ、１１０Ｂを有する記録媒体１００Ａ、１００Ｂについて説明したが、多角形としては、図１０に示すように、八角形の収容箱１１０Ｃとして、仕切り壁１４０で多数（８つ）の収容部１１６を区画して、より多数の用紙Ｓを収容することもできる。
また、用紙Ｓとして、不織布からなる長尺シートについて説明したが、用紙Ｓは不織布に限らず、紙、クロス、プラスチックフィルム、金属蒸着シートであってもよい。
【符号の説明】
【００７９】
１・・・画像形成装置
１０・・・画像形成部
２０・・・給紙装置
２５・・・手差し給紙装置
２６・・・手差しトレイ
２７・・・サイドガイド
２８・・・ナジャーロール
３０・・・操作表示部
４０・・・画像処理部
１００、１００Ａ、１００Ｂ、１００Ｃ・・・記録媒体
１１０、１１０Ａ、１１０Ｂ、１１０Ｃ・・・収容箱
１１１、１１１Ａ、１１１Ｂ・・・通過口
１１２・・フラップ
１１３、１１５、１１６・・・収容部
１２０、１３０、１４０・・・仕切り壁
Ｓ・・・用紙
【図１】
2019056733.tif 000003
【図２】
2019056733.tif 000004
【図３】
2019056733.tif 000005
【図４】
2019056733.tif 000006
【図５】
2019056733.tif 000007
【図６】
2019056733.tif 000008
【図７】
2019056733.tif 000009
【図８】
2019056733.tif 000010
【図９】
2019056733.tif 000011
【図１０】
2019056733.tif 000012